(57)【要約】【課題】  三味線の調弦用の糸巻構造において、簡易な構造で、糸巻の軸方向へ移動、及び、糸巻の周方向の回動を押さえ、長時間の使用によっても糸の張力が減少せず、簡単な操作で調弦を行うことができ、既に製作済みの糸巻にも後から施工が可能である弦楽器の糸巻構造を提供する。【解決手段】  三味線のヘッド部の糸巻取付口を側部から貫通する１対の貫通孔が開けられ、その貫通孔に糸巻きが嵌め込まれ、糸巻を捻じ込むことで貫通口と糸巻との摩擦力により糸巻が固定される糸巻構造において、貫通孔に嵌め込まれた糸巻を軸方向に対して直角方向より押圧することにより、糸巻を固定するための押圧部材が設けられ、押圧部材は、先端がわずかに突出するように、金属球が収納固定された筒体と、該筒体を糸巻の側面に押圧させる押圧力を調整するための調節ネジと、該調整ネジの支持部材とからなる三味線の糸巻構造である。【選択図】  図６
2011017741.tif 000002
【特許請求の範囲】
【請求項１】
三味線のヘッド部の中央に糸巻の取付口が開口され、該開口部を側部から貫通する１対の貫通孔が開けられ、この貫通孔に側部より糸巻きが嵌め込まれ、糸巻の先端部が尖ったテーパ状となっており、１対の貫通孔は、入口側の口径が広く、出口側の口径が狭くなっており、糸巻を捻じ込むことで貫通口と糸巻との摩擦力により糸巻が固定される構造となっている糸巻構造において、
貫通孔に嵌め込まれた糸巻を糸巻の軸方向に対して直角方向より押圧することにより、糸巻を固定するための押圧部材が設けられていることを特徴とする三味線の糸巻構造。
【請求項２】
前記の押圧部材は、ヘッド部の裏面側から貫通孔に直角に開けられた押圧部材取付孔に設けられ、先端が球面となっており、調節ネジの締め付けにより、押圧部材の先端を嵌め込まれた糸巻の軸方向に対して直角方向から押圧することにより、糸巻の軸方向の微動または周方向の回動を防止することを特徴とする請求項１に記載の三味線の糸巻構造。
【請求項３】
前記の押圧部材は、先端部に回転自在となる球体が設けられていることを特徴とする請求項１又は請求項２に記載の三味線の糸巻構造。
【請求項４】
前記の押圧部材は、先端がわずかに突出するように、金属球が収納固定された筒体と、該筒体を糸巻の側面に押圧させる押圧力を調整するための調節ネジと、該調整ネジの支持部材が設けられ、
該筒体の先端部より突出する金属球を糸巻の側面に押圧させて、糸巻の側面に溝を押圧形成させ、糸巻の軸方向の微動を防止するとともに、糸巻の曲面に合わせて曲面状に加工された筒体の先端部を糸巻の側面に押圧し、糸巻の周方向の回動を防止することを特徴とする請求項１または請求項２に記載の三味線の糸巻構造。
【発明の詳細な説明】
【技術分野】
【０００１】
本願発明は、三味線の調弦に用いられる糸巻の構造に関する。
【背景技術】
【０００２】
従来の三味線などにおいては、使用によって、または単に放置している状態でも、糸の張力が減少してしまう。
【０００３】
この原因は、糸巻が、糸巻の貫通孔に挿通して嵌め込まれただけで、摩擦抵抗によって係合されたに過ぎなかったことにある。
【０００４】
すなわち、係合された部分の摩擦抵抗が弱くなることで、糸巻は軸方向に微動し、これに伴い、糸巻は周方向に回動して糸の張力が弱まっていた。
【０００５】
調弦は、このような糸の張力の減少によって必要となる行為であるが、調弦の方法は、糸巻を軸の周方向に回動させて糸の張力を上げ、ちょうど良い張力を得られた状態で、糸巻を軸方向に強く押し込むことで、糸巻を貫通孔に嵌め込んで固定するという方法が用いられていた。
【０００６】
しかし、この調弦方法には、いくつかの難点があった。
１つ目は、一般的な調弦は、糸巻の端部にある掴み面を回転させて糸の張力を調節することによって行われるが、糸巻は貫通孔に適度に嵌め込まれて固定されており、その状態では糸巻は簡単には回動しない。音色を確かめながら糸の張力を調整するので、微妙な加減が要求される非常に神経を使う作業である。
【０００７】
２つ目は、調弦によって、ちょうど良い張力を得られたら、糸巻を貫通孔に強く押し込んで、糸巻が軸の周方向に回動しないように強く嵌め込む必要があるが、この押し込む力が弱いと、糸巻が強い摩擦抵抗を得られず、簡単に軸の周方向に回動してしまって、糸の張力が緩んでしまう。
【０００８】
このような難点を解決するためには、糸巻の回動が簡単にでき、且つ、強い力を要せずとも、糸巻に強い摩擦抵抗を与え、糸巻きが軸方向の微動または周方向の回動を止めることが必要である。
【０００９】
この三味線の糸巻構造については、従来より各種開発されている。
【００１０】
特開平９−１６０５４０号公報では、調整の度に糸巻きを軸方向に摺動させることなく、挿入孔との摩擦抵抗力を調整できるものであり、糸巻きに締付環を取り付け、この締付環の口径を調整ねじで増減させることにより、糸巻きの摩擦抵抗力を調整するものである。
【００１１】
また、特開平９−２６９７７０号公報などのように、糸巻軸を直接、手で握って調整するのではなく、糸巻軸の回転動作をウォームギアを介してペグを捩じって調整する、ギターなどの楽器に用いられる弦楽器用糸巻具などが開示されている。
【先行技術文献】
【特許文献】
【００１２】
【特許文献１】特開平９−１６０５４０号公報
【特許文献２】特開平９−２６９７７０号公報
【発明の概要】
【発明が解決しようとする課題】
【００１３】
このように、弦楽器の糸巻構造として各種開発されているが、前記の特開平９−２６９７７０号公報などのように、ウォームギアを用い、ペグで調整するような構造であれば、弦の緩みがなく、微妙な調整を簡単にできる糸巻構造となるが、三味線やバイオリンなどのように、歴史、伝統を重んじる弦楽器においては、そのヘッド部の形状にその楽器の特徴を有するものであり、外観的に変化が顕れるような構造の変化は受け入れられない。
【００１４】
また、特開平９−１６０５４０号公報においては、上記の特開平９−２６９７７０号公報ほどの外観的な変化は少ないが、演奏中などは、正面や側面から見られることとなり、この場合には、ヘッド部の側面に糸巻の先端部が突出するのではなく、ヘッド部から突出する先端部はなく、ネジ部の頭部が露出することになる。
【００１５】
また、弦の調整において、音色を確かめながら糸の張力を調整する場合に、一旦、調整ネジを緩めて、糸巻が回転できるようにしてから調整するものであり、微妙な音色の調整ができた状態で、今度は調整ネジを締め付けることになるが、この調整ネジの締め付けにより、微妙な音色の調整がずれてしまうことが発生する。
【００１６】
特に三味線など、直接、手で糸巻を捩じって調整する楽器においては、微妙な音色の調整位置でそのままの状態で保持することが好ましい。この状態から調整ネジなどで締め付けると、微妙にずれてしまい、音色に影響してしまうのである。
【００１７】
本願発明は、三味線の調弦に用いられる糸巻の構造において、簡易な構造で、糸巻の軸方向へ移動、及び、糸巻の周方向の回動を押さえ、長時間の使用によっても糸の張力が減少せず、簡単な操作で調弦を行うことができ、さらに、既に製作済みの糸巻にも後から施工が可能であることを特徴とする三味線の糸巻構造を提供するものである。
【課題を解決するための手段】
【００１８】
本発明は諸課題を解決するために、請求項１では、三味線のヘッド部の中央に糸巻の取付口が開口され、該開口部を側部から貫通する１対の貫通孔が開けられ、この貫通孔に側部より糸巻きが嵌め込まれ、糸巻の先端部が尖ったテーパ状となっており、１対の貫通孔は、入口側の口径が広く、出口側の口径が狭くなっており、糸巻を捻じ込むことで貫通口と糸巻との摩擦力により糸巻が固定される構造となっている糸巻構造において、
貫通孔に嵌め込まれた糸巻を糸巻の軸方向に対して直角方向より押圧することにより、糸巻を固定するための押圧部材が設けられていることを特徴とする三味線の糸巻構造とするものである。
【００１９】
該押圧部材は、糸巻を直角方向から押圧することができるものであればいずれでも良く、糸巻きに対して直角方向から押圧するネジ部材やバネ部材などでも良い。
【００２０】
請求項２では、前記の押圧部材は、ヘッド部の裏面側から貫通孔に直角に開けられた押圧部材取付孔に設けられ、先端が球面となっており、調節ネジの締め付けにより、押圧部材の先端を嵌め込まれた糸巻の軸方向に対して直角方向から押圧することにより、糸巻の軸方向の微動または周方向の回動を防止することを特徴とする三味線の糸巻構造とするものである。
【００２１】
たとえば、該押圧部材取付孔の内面側に雌ネジ部を形成し、先端が球面となった雄ネジ部材を捻じ込んで糸巻の側面を押圧できる構造としても良い。
【００２２】
また、押圧部材取付孔に先端が球面となった金属棒材を嵌め込み、外側からネジやバネなどで押圧できるようにしても良い。
【００２３】
請求項３では、前記の押圧部材は、先端部に回転自在となる球体が設けられていることを特徴とする三味線の糸巻構造とするものである。
【００２４】
該球体は、剛性を有する球体であればいずれでも良く、金属製や硬質樹脂製などでも良い。
【００２５】
該球体は回転自在に取り付けられるものであればいずれでも良く、ボールベアリングなどでも良い。
【００２６】
請求項４では、前記の押圧部材は、先端がわずかに突出するように、金属球が収納固定された筒体と、該筒体を糸巻の側面に押圧させる押圧力を調整するための調節ネジと、該調整ネジの支持部材が設けられ、
該筒体の先端部より突出する金属球を糸巻の側面に押圧させて、糸巻の側面に溝を押圧形成させ、糸巻の軸方向の微動を防止するとともに、糸巻の曲面に合わせて曲面状に加工された筒体の先端部を糸巻の側面に押圧し、糸巻の周方向の回動を防止することを特徴とする請求項１または請求項２に記載の三味線の糸巻構造とするものである。
【００２７】
金属球の先端がわずかに突出するように筒体に収納固定することにより、筒体先端が糸巻の側面に当たるまで押圧し、ここで糸巻を回転させると、金属球により、外周面を１周する溝が形成されることになる。この突出（溝の深さ）は、０．３ｍｍ〜２ｍｍ程度が好ましい。
【００２８】
金属球は、直径が１．０ｍｍ〜５．０ｍｍ程度が好ましい。
【００２９】
該調整ネジの支持部材は、雄ネジとなる調整ネジを支持し、雌ネジが形成された支持体であり、たとえば、ヘッド部の裏側に雌ねじが設けられた支持板をネジ止め固定されたものでも良い。
【発明の効果】
【００３０】
本発明は以下の効果を奏する。
１）糸巻の軸方向へ移動を防止でき、かつ、糸巻の周方向の回動を防止することができる。
【００３１】
２）長時間の使用によっても糸の張力が減少せず、信頼性の高い糸巻構造を実現できる。
【００３２】
３）調整ネジにより、筒体及び金属球による糸巻への押圧力を調整でき、簡単に調弦を行うことができる。
【００３３】
４）金属球の押圧により、糸巻に溝が形成されるので、糸巻が抜けてしまうことがなくなり、安心して微妙な調弦を行うことができる。
【００３４】
５）既に製作済みの糸巻にも後から施工が可能である。
【００３５】
６）押圧部材は、ヘッド部の裏側に埋め込まれるので、表側や側部からは見えないので、取り付けられていることによる違和感がない。
【図面の簡単な説明】
【００３６】
【図１】本発明による糸巻構造を用いた三線のヘッド部の裏面の実施例を示す外観図である。
【図２】本発明による糸巻構造を用いた三線のヘッド部の裏面の拡大図である。
【図３】本発明による糸巻構造に用いた糸巻の外観図である。
【図４】本発明による糸巻構造に用いた押圧部材の外観図である。
【図５】本発明による糸巻構造に用いた押圧部材の鋼製球を収納した筒体の外観図である。
【図６】図１のＡ−Ａ部の断面構造を示す図である。
【図７】図６のＢ−Ｂ部の断面構造を示す図である。
【発明を実施するための形態】
【００３７】
本発明の実施の形態について図面を用いて説明する。
【００３８】
図１は、本発明による糸巻構造を用いた三線のヘッド部の実施例を示す裏面の外観図である。図２は、ヘッド部１開口部分の拡大図である。
【００３９】
このヘッド部１は、開口部２を側面から貫通する一対の貫通孔が設けられ、この貫通孔に側部より先端が尖ったテーパ状となった糸巻３が嵌め込まれているものである。
【００４０】
この貫通孔の入口側の貫通孔において、糸巻３の軸方向に対して直角方向に押圧する押圧部材４が設けられている。
【００４１】
図３は、糸巻３の実施例を示す図である。先端部分が尖っており、テーパ形状になっている。先端部分１０は特に細く、上記に貫通孔に挿入して嵌め込まれる部分である。１１が押圧部材４の金属球１６が当たっている部分であり、へこんでいる。
【００４２】
図４は、押圧部材の実施例を示す図であり、支持部材１２の中央に調整ねネジ１４が捻じ込まれており、その下部に金属球が収納固定された筒体１５が位置する。この支持部材１２は、ヘッド部の裏面の貫通孔部分に固定ネジ１３でネジ止めされる。
【００４３】
図５は、押圧部材４の金属球１６が収納固定された筒体１５の実施例を示す図である。
【００４４】
図６は、図１のＡ−Ａ部分の断面図である。
ヘッド部の入口側の貫通孔１ａから糸巻３を挿入し、出口側の貫通孔１ｂまで嵌め込む。
【００４５】
この状態で調弦を行い、調弦が完了した状態で、押圧部材４の調整ネジ１４を捻じ込み、筒体１５が糸巻３の側面を押圧する。
【００４６】
ここで糸巻を回転させることで、金属球により、糸巻の外周面を１周する溝が形成させ、この溝の形成により、糸巻３は軸方向に動かない状態で保持することができるものである。
【００４７】
図７は、図６のＢ−Ｂ部分の断面図である。
金属球１６を収納固定する筒体１５の下部は、図６に示すように、糸巻３の傾斜面に密着しており、また、図７に示すように、糸巻３の曲面にも密着するように加工されているものである。この筒体１５の先端部分が糸巻の側面に密着して押圧されるので回転方向に動くことなく強固に固定できるものである。
【００４８】
また、支持部材１２は、ヘッド部１の裏面に、固定ネジ１３でしっかりとネジ留めされており、調整ネジ１４を捻じ込むことで、その下部に位置する筒体１５を糸巻の側面に押圧するように押し下げ、また、その筒体から突出するように収納固定された金属球１６を糸巻側部の溝に押し下げるので、糸巻３を強固に、かつ確実に固定し、糸巻３が軸方向、及び回転方向に動くことで、弦の張力が減少してしまうことを防止することができる。
【００４９】
実際の使用においては、調弦前に、調整ネジ１４を締め付けながら、金属球１６を糸巻３に押し付け、その状態で糸巻３を回していく。糸巻３を回すことにより、金属球１６により、糸巻３に溝（図３の１１参照）ができる。この溝により、糸巻３は軸方向に移動できなくなる。そして、さらに調整ネジ１４を締め付けることで、筒体１５の先端部が糸巻側部に密着して押圧し、調弦の位置で糸巻３をしっかりと固定することができるものである。
【００５０】
調整ネジの締め付けは、ドライバーなどで行われるが、本実施例では、調整ネジ部１４がヘッド部１裏面に設けられているため、六角ネジを使用することができ、調弦しながら簡単に調整ネジを操作することができるものである。
【符号の説明】
【００５１】
１  ヘッド部
２  開口部
３  糸巻
４  押圧部材
１０  糸巻の先端部分
１１  溝
１２  支持部材
１３  固定ネジ
１４  調整ネジ
１５  筒体
１６  金属球
【図６】
2011017741.tif 000003
【図７】
2011017741.tif 000004
【図１】
2011017741.tif 000005
【図２】
2011017741.tif 000006
【図３】
2011017741.tif 000007
【図４】
2011017741.tif 000008
【図５】
2011017741.tif 000009